(57)【要約】【課題】利用者にとって便利な画像形成システムを提供する。【解決手段】画像形成システム１００は、複合機１０と大型ディスプレィ２０とを備えている。複合機１０は、制御装置１５と、タッチパネル付の小型ディスプレィ１１ｂが形成されている操作パネル１１とを備えている。操作パネル１１は複合機１０の正面側に取り付けられている。大型ディスプレィ２０は複合機１０の背面側に設置されている。制御装置１５は、利用者から入力されるコマンドに応じて、小型ディスプレィ１１ｂのタッチパネルを専ら小型ディスプレィ１１ｂの表示画像に対するポインティングデバイスとして機能させる通常モードと、小型ディスプレィ１１ｂのタッチパネルの一部エリアを大型ディスプレィ２０の表示画像に対するポインティングデバイスとして機能させる特殊モードとを切り替える。【選択図】図５
2012109803.tif 000002
【特許請求の範囲】
【請求項１】
タッチパネル付の第１表示装置が形成されている操作パネルを備えた画像形成装置と、
前記第１表示装置よりもサイズの大きな第２表示装置と、
入力される指示に応じて、前記タッチパネルを第１表示装置の表示画像に対するポインティングデバイスとして機能させる第１モードと、前記タッチパネルの少なくとも一部のエリアを前記第２表示装置の表示画像に対するポインティングデバイスとして機能させる第２モードとを切り替える制御部とを備えたことを特徴とする画像形成システム。
【請求項２】
前記制御部は、前記第２モードにおいて、前記タッチパネルのうち前記第２表示装置の表示画像に対するポインティングデバイスとして機能させるエリアに対して、ドラッグ操作、フリック操作、タップ操作、ダブルタップ操作のうちのいずれかの操作が行われると、行われた操作の内容を第２表示装置の表示画像に反映させることを特徴とする請求項１に記載の画像形成システム。
【請求項３】
前記制御部は、前記第２モードにおいて、（ａ）前記タッチパネルのうちの一部である第２エリアを、第２表示装置の表示画像に対するポインティングデバイスとして機能させ、（ｂ）前記タッチパネルのうち第２エリア以外の第１エリアを、第１表示装置の表示画像に対するポインティングデバイスとして機能させることを特徴とする請求項１または２に記載の画像形成システム。
【請求項４】
前記制御部は、前記第２モードにおいて、前記第２表示装置の表示画像に対するポインティングデバイスとして機能するエリアであることを示す操作エリア画像を、第１表示装置のうち前記タッチパネルの第２エリアと重なるエリアに表示させることを特徴とする請求項３に記載の画像形成システム。
【請求項５】
前記制御部は、前記第１モードにおいて前記操作エリア画像を前記第１表示装置に表示させず、前記第２モードにおいて前記操作エリア画像を前記第１表示装置に表示させるようになっていることを特徴とする請求項４に記載の画像形成システム。
【請求項６】
前記制御部は、前記第２モードにおいて前記タッチパネルに対する操作が行われていない状態が所定時間継続すると、前記第２モードから前記第１モードに切り替えることを特徴とする請求項１から５のいずれか１項に記載の画像形成システム。
【請求項７】
前記画像形成装置は前記制御部を備え、
前記画像形成装置と前記第２表示装置とはＵＳＢ（Universal Serial Bus）にて接続されていることを特徴とする請求項１から６のいずれか１項に記載の画像形成システム。
【請求項８】
前記操作パネルは前記画像形成装置の正面に取り付けられ、前記第２表示装置は前記画像形成装置の背面側に設置されていることを特徴とする請求項１から７のいずれか１項に記載の画像形成システム。
【請求項９】
タッチパネル付きの第１表示装置が形成されている操作パネルを備えている画像読取装置と、
前記操作パネルから離れた位置に配置されており、前記第１表示装置よりもサイズの大きな第２表示装置と、
入力される指示に応じて、前記タッチパネルを第１表示装置の表示画像に対するポインティングデバイスとして機能させる第１モードと、前記タッチパネルの少なくとも一部のエリアを第２表示装置の表示画像に対するポインティングデバイスとして機能させる第２モードとを切り替える制御部とを備えたことを特徴とする画像読取システム。
【発明の詳細な説明】
【技術分野】
【０００１】
本発明は、画像データに応じた画像を用紙に形成する画像形成装置（複合機,プリンタ）を備えた画像形成システム、または原稿を読み取って前記原稿の画像を示す画像データを生成する画像読取装置（スキャナ）を備えた画像読取システムに関する。
【背景技術】
【０００２】
高機能化した複合機には、ネットワークを介して通信可能に接続されているサーバやウェブサイト等から画像データ（ファイル）を呼び出し、この画像データの画像をプリントする機能を有するものがある。
【０００３】
例えば、特許文献１によれば、コンビニエンスストアに設置される複合機が、利用者の操作指示に応じてウェブサイトにアクセスし、利用者からの入金に応じて当該ウェブサイトからデジタル画像（コンテンツ）をダウンロードして印刷出力する点が開示されている。最近では、新聞（ニュース）、雑誌、書籍の電子化が普及し、これらをウェブサイトから複合機にダウンロードして印刷出力することも可能になっている。
【０００４】
特許文献２によれば、ＩＤで保護されている電子メールメッセージをメールサーバから呼び出して印刷出力するインターネットファクシミリ（画像形成装置）が示されている。
【０００５】
また、最近では、複合機の正面側の操作パネルに形成されている表示装置（タッチパネル付）にリンクを表示させ、利用者がタッチパネルを用いてリンクを選択すると、選択したリンクに対応するウェブページやファイルを前記表示装置に表示するような複合機が一般的になっている。そして、このような複合機は、前記表示装置に表示されているウェブページやファイルに対する印刷指示を入力すると、前記ウェブページや前記ファイルの画像を印刷するようになっている。
【０００６】
ところで、複合機の操作パネルに形成されている表示装置のサイズは１０．５インチ以下であるものが多い（例えば８．５インチ）。それゆえ、ファイル名やリンクを当該表示装置に表示させることは可能であっても、ファイルの画像やリンク先のウェブページの画像を全面表示させるためには縮小して表示しなければならず、この縮小によって利用者は前記ファイルの画像やウェブページの視認が困難になる（例えばＡ４やＡ３サイズに適合する画像を８．５インチサイズの表示装置に全面表示させるには縮小が必要である）。つまり、印刷の対象となる画像（前記ファイルの画像やウェブページ）のプレビューを前記表示装置に表示させてもその視認が困難であるという欠点があった。
【０００７】
そこで、複合機の操作パネルの前に位置する利用者から視認可能な位置に大型サイズの表示装置（例えば２４インチや３２インチ）を設置し、この大型サイズの表示装置（以下「大型ディスプレィ」と称す）と複合機とをＵＳＢ（Universal Serial Bus）にて接続して、複合機にて扱われる各種情報および各種画像を大型ディスプレィに表示させれば、画像を縮小せずに表示させることができ、以上の欠点を解消できる。また、大型ディスプレィを用いれば、複数の画像を同時に表示させても視認性を確保できる。
【先行技術文献】
【特許文献】
【０００８】
【特許文献１】特開２０００−２６８０９５号公報
【特許文献２】特開２００２−７２６４号公報
【発明の概要】
【発明が解決しようとする課題】
【０００９】
以上にて説明した大型ディスプレィは、複合機の操作パネルの表示装置と同様、複合機の操作のための画像表示手段である。それゆえ、大型ディスプレィに表示されている複数の選択対象からいずれかの対象を利用者に選択させるというケースもありえ、このようなケースを想定すれば、大型ディスプレィの表示画像用のポインティングデバイスを備えるべきである。そして、このようなポインティングデバイスとしては大型ディスプレィに取り付けられるタッチパネルが挙げられる。
【００１０】
しかし、複合機の操作パネルの前に位置する利用者から視認可能な位置に大型ディスプレィを設置し、大型ディスプレィのタッチパネルを用いて大型ディスプレィの表示画像に対する指示入力を行わなければならないようなシステムを構築すると、以下に示す問題が生じる。
【００１１】
複合機を利用する利用者は複合機の正面側に位置しているのが通常であるため、複合機の正面に位置する利用者にとって操作し易い位置に複合機の操作パネルが取り付けられる。つまり、複合機の正面に位置する利用者にとって、複合機の操作パネルの形成位置がポインティングデバイスの位置として最適であり、それ以外の位置に設置されているポインティングデバイスについては操作し難い。
【００１２】
それゆえ、以上のようなシステムにおいて、複合機の正面側に位置する利用者が操作パネルを操作している最中に大型ディスプレィのタッチパネルを操作する必要が生じた場合、操作し難い位置から当該タッチパネルを操作しなければならず、利用者にとって使い勝手が良くない。
【００１３】
特に、複合機の正面側から良好に視認できる位置に大型ディスプレィが設置されているものの、当該大型ディスプレィが利用者にとって複合機の正面側に位置したままタッチできないような位置に設置されている場合（例えば、複合機の背面側に大型ディスプレィが設置されている場合）、利用者は大型ディスプレィの設置位置まで移動して大型ディスプレィのタッチパネルにタッチしなければならず、利用者にとって使い勝手が良くない。
【００１４】
本発明は、上記の課題に鑑みてなされたものであり、画像形成装置（または画像読取装置）と大型ディスプレィとを備えるシステムであって、利用者にとって使い勝手の良いシステムを提供することを目的とする。
【課題を解決するための手段】
【００１５】
上記の課題を解決するために、本発明の画像形成システムは、タッチパネル付の第１表示装置が形成されている操作パネルを備えた画像形成装置と、前記第１表示装置よりもサイズの大きな第２表示装置と、入力される指示に応じて、前記タッチパネルを第１表示装置の表示画像に対するポインティングデバイスとして機能させる第１モードと、前記タッチパネルの少なくとも一部のエリアを前記第２表示装置の表示画像に対するポインティングデバイスとして機能させる第２モードとを切り替える制御部とを備えたことを特徴とする。本発明の構成によれば、利用者は、画像形成システムを第２モードに移行させることによって、画像形成装置の操作パネルに形成されている第１表示装置のタッチパネルを用いて第２表示装置の表示画像に対する指示入力を行える。それゆえ、第２表示装置が操作パネルから離れていても、利用者は操作パネルを用いて第２表示装置の表示画像に対する指示入力を行えるため、利用者にとって使い勝手が良いという利点を有する。なお、本願発明における画像形成装置は、プリンタ、複合機、複写機、ファクシミリ等の画像印刷機能を有する装置を指す。
【００１６】
また、本発明の画像形成システムにおいて、前記制御部は、前記第２モードにて、前記タッチパネルのうち前記第２表示装置の表示画像に対するポインティングデバイスとして機能させるエリアに対して、ドラッグ操作、フリック操作、タップ操作、ダブルタップ操作のうちのいずれかの操作が行われると、行われた操作の内容を第２表示装置の表示画像に反映させるようになっていてもよい。つまり、前記第２モードにおいて、前記タッチパネルに対してドラッグ操作が行われた場合は例えば第２表示装置に表示されているカーソル等が移動し、前記タッチパネルに対してフリック操作またはスクロール操作が行われた場合は例えば第２表示装置の表示画像がスクロールし、前記タッチパネルに対してタップ操作またはダブルタップ操作が行われた場合は例えば第２表示装置の表示画像上の項目が選択されることになる。
【００１７】
さらに、本発明の画像形成システムにおいて、前記制御部は、前記第２モードにて、（ａ）前記タッチパネルのうちの一部である第２エリアを、第２表示装置の表示画像に対するポインティングデバイスとして機能させ、（ｂ）前記タッチパネルのうち第２エリア以外の第１エリアを、第１表示装置の表示画像に対するポインティングデバイスとして機能させるようになっていてもよい。この構成によれば、第２モードにおいて、前記タッチパネルを、第２表示装置の表示画像に対するポインティングデバイスとして利用できるだけではなく、第１表示装置の表示画像に対するポインティングデバイスとしても利用できる。例えば、第２モードにおいて、第１表示装置の表示エリアのうち前記第１エリアと重なる位置に操作ボタン等を表示し、前記タッチパネルのうち前記操作ボタンと重なる位置に利用者がタップ操作を行うと当該操作ボタンが選択され、前記タッチパネルのうち第２エリアに対して利用者がドラッグ操作を行うと第２表示装置の表示されているカーソルが移動するといった事が可能になる。
【００１８】
また、本発明の画像形成システムにおいて、前記制御部は、前記第２モードにて、前記第２表示装置の表示画像に対するポインティングデバイスとして機能するエリアであることを示す操作エリア画像を、第１表示装置のうち前記タッチパネルの第２エリアと重なるエリアに表示させるようになっていてもよい。この構成によれば、第２モードにおいて、利用者は、前記第１表示装置のタッチパネルのうち、前記第２表示装置の表示画像に対するポインティングデバイスとして機能するエリア（第２エリア）を特定できるため、誤操作（例えば第２エリアに触れるつもりが第１エリアに触れていた等）の発生を抑制できる。
【００１９】
また、本発明の画像形成システムにおいて、前記制御部は、前記第１モードにて前記操作エリア画像を前記第１表示装置に表示させず、前記第２モードにて前記操作エリア画像を前記第１表示装置に表示させるようになっていてもよい。この構成によれば、利用者は、操作エリア画像の表示の有無により、画像形成システムの現在のモードが第１モードおよび第２モードのいずれであるかを把握できる。
【００２０】
また、第１の利用者が、画像形成システムを第２モードに移行させた後、画像形成システムを第１モードに戻さないまま立ち去り、次に、操作に不慣れな第２の利用者が画像形成システムを使用するようなケースを想定する。このようなケースでは、操作に不慣れな第２の利用者は、いきなり、特殊なモードである第２モードになっている画像形成システムを操作することになり、第２の利用者が、戸惑ってしまうという不具合が生じることもある。そこで、本発明の画像形成システムにおいて、前記制御部は、前記第２モードにて前記タッチパネルに対する操作が行われていない状態が所定時間継続すると、前記第２モードから前記第１モードに切り替えるようになっていてもよい。この構成によれば、前記第２モードにおいて前記タッチパネルに対する操作が行われていない状態が所定時間継続すると、前記第２モードから前記第１モード（通常のモード）に切り替わるため、前記の不具合の発生を抑制できる。
【００２１】
また、本発明の画像形成システムにおいて、前記操作パネルは前記画像形成装置の正面に取り付けられ、前記第２表示装置は前記画像形成装置の背面側に設置されていてもよい。この構成によれば、複合機の正面側で操作パネルを操作している利用者が第２表示装置の表示画像を良好に視認することができるというメリットを有する。
【００２２】
さらに、本発明の画像形成システムにおいて、前記画像形成装置は前記制御部を備え、前記画像形成装置と前記第２表示装置とはＵＳＢ（Universal Serial Bus）にて接続されていてもよい。
【００２３】
また、上記の課題を解決するために、本発明の画像読取システムは、タッチパネル付きの第１表示装置が形成されている操作パネルを備えている画像読取装置と、前記操作パネルから離れた位置に配置されており、前記第１表示装置よりもサイズの大きな第２表示装置と、入力される指示に応じて、前記タッチパネルを第１表示装置の表示画像に対するポインティングデバイスとして機能させる第１モードと、前記タッチパネルの少なくとも一部のエリアを第２表示装置の表示画像に対するポインティングデバイスとして機能させる第２モードとを切り替える制御部とを備えることを特徴とする。本発明の画像読取システムによれば、前述した本発明の画像形成システムと同様、利用者にとって便利であるという利点を有する。なお、本発明における画像読取装置はスキャナ専用機を指す。
【発明の効果】
【００２４】
以上示したように、本発明の構成によれば、第２表示装置が操作パネルから離れていても、利用者は操作パネルを用いて第２表示装置の表示画像に対する指示入力を行えるため、利用者にとって使い勝手が良いという利点を有する。
【図面の簡単な説明】
【００２５】
【図１】本発明の一実施形態に係る画像形成システムの斜視図である。
【図２】本発明の一実施形態に係る画像形成システムの概略構成を示したブロック図である。
【図３】図１の画像形成システムに含まれる複合機に取り付けられている操作パネルを示す模式図である。
【図４】（ａ）は通常モードにおいて小型ディスプレィに表示される操作画像であり、（ｂ）は特殊モードにおいて小型ディスプレィに表示される操作画像である。
【図５】特殊モードにおいて、利用者が小型ディスプレィのタッチパネルに対してドラッグ操作することによって大型ディスプレィに表示されているポインタを移動させている様子を示した模式図である。
【図６】（ａ）は店舗に設置された一般的な複合機と電子看板とを示す図であり、（ｂ）は複合機の近傍に電子看板を設置した状況を示す図である。
【発明を実施するための形態】
【００２６】
以下、本発明の一実施形態について詳細に説明する。図１は、本実施形態の画像形成システムの斜視図であり、図２は、本実施形態の画像形成システムの概略構成を示したブロック図である。
【００２７】
図１および図２に示すように、本実施形態の画像形成システム１００は複合機１０と大型ディスプレィ２０とを有している。
【００２８】
複合機（画像形成装置）１０は、印刷処理、スキャン処理、通信処理、ファクシミリ送受信処理を実行するデジタル複合機である。複合機１０は、図１および図２に示すように、操作パネル１１とスキャナ部１２とプリント部１３と記憶部１４と制御装置１５とを備えている。
【００２９】
図１に示すように、操作パネル１１は、複合機１０の正面側に取り付けられており、利用者に対して各種情報を通知するとともに、利用者からの入力を受け付けるものである。
【００３０】
図３は操作パネル１１を示す模式図である。操作パネル１１は、図３に示すように、各種の入力キーを含む入力部１１ａと小型ディスプレィ１１ｂとを備えている。また、小型ディスプレィ（第１表示装置）１１ｂは、８．５インチサイズの液晶表示装置であり、タッチパネルを備えている。つまり、本実施形態の複合機１０は、小型ディスプレィ１１ｂに各種操作ボタンを表示し、前記タッチパネルのうち操作ボタンに対応する位置に利用者がタッチした場合に当該操作ボタンに応じたコマンドを受け付けるようになっている。
【００３１】
スキャナ部１２は、原稿の画像を読み取る撮像素子（例えば、ＣＣＤ（Charge Coupled Device））と、撮像素子による読取位置まで原稿を搬送する原稿搬送部とを含んでいる。スキャナ部１２は、原稿の画像を読み取って、当該原稿の画像を示した画像データを生成するものである。
【００３２】
プリント部１３は、用紙などのシートに対して、スキャナ部１２にて生成された画像データまたは外部から受信した画像データに対応する画像（文字／写真／グラフィック）を印刷する電子写真方式の印刷機である。プリント部１３は、感光体ドラム、帯電装置、露光装置、現像装置、転写装置、定着装置、および用紙トレイなどを備えている。具体的に、プリント部１３では、帯電装置が感光体ドラムの表面を帯電させる。そして、露光装置が画像データに応じた光を感光体ドラムに照射し、感光体ドラム上に画像データで示される画像と同じパターンの静電潜像を形成する。その後、現像装置により感光体ドラムの表面にトナーが引き付けられ、前記静電潜像が顕像化し、感光体ドラムにトナー画像が形成される。その後、転写装置が当該トナー画像をシートに転写する。最後に、定着装置がトナーに熱を加えてシートに融着させることで、シートに画像が形成される。これにより、スキャナ部１２にて生成された画像データまたは外部装置から入力された画像データに基づいた印刷処理が実行される。なお、外部から入力された画像データとは、通信ネットワーク１６を介して端末装置,ウェブサーバ（ウェブサイト）等から複合機１０に送られた画像データを指す。
【００３３】
図２に示される記憶部１４は、例えばハードディスクからなる記憶装置である。記憶部１４は、複合機１０にて扱われている画像データや各種データを記憶・保存するためのものである。
【００３４】
制御装置（コンピュータ）１５は、複合機１０に備えられている機器を統括的に制御する機能を有し、且つ画像データに対して画像処理を実行する機能を有する。具体的に、制御装置（制御部）１５は、プロセッサ、プロセッサに実行されるプログラム（ファームウェア）や制御に必要なデータを格納するＲＯＭ（Read Only Memory）等の記録媒体（コンピュータ読取可能な記録媒体）、プロセッサによるデータ処理の作業領域となるＲＡＭ（Random Access Memory）、センサ等の周辺機器からの信号を受け付ける入力バッファ、当該信号をデジタル化するＡ／Ｄ変換回路等を含む入力回路、モータまたはソレノイドを駆動するドライバに駆動信号を出力する出力回路などを有している。つまり、制御装置１５は、前記のプログラムを実行することによって、複合機１０が有している各種機器の制御，画像処理，各種処理を実現するようになっている。
【００３５】
つぎに、大型ディスプレィ（第２表示装置）２０について説明する。通常の複合機には原稿自動搬送装置やソータ（排紙用紙分離装置）等の標準装備品またはオプション品を接続可能であるが、本実施形態の大型ディスプレィ２０は前記の標準装備品またはオプション品として複合機１０に接続されるものである。
【００３６】
大型ディスプレィ２０は、３２インチサイズの液晶表示装置であり、図１に示すように複合機１０の背面側且つ複合機１０よりも上側に位置するように取りつけ軸１７に取り付けられている。これにより、複合機１０の正面側にて操作パネル１１を操作する利用者は、大型ディスプレィ２０の表示画像を良好に視認することができる。なお、本実施形態の複合機１０は、奥行サイズ（正面と背面との距離）が６００ｍｍ以上であり高さが１２００ｍｍ以上であることから、利用者は複合機の正面側から背面側の大型ディスプレィのタッチパネルに直接触れることは困難である。
【００３７】
そして、図１および図２に示すように、複合機１０と大型ディスプレィ２０とはＵＳＢ（Universal Serial Bus）ケーブル１８にて接続されており、複合機１０の制御装置１５が大型ディスプレィ２０を制御するようになっている。
【００３８】
つまり、制御装置１５は、利用者から入力されるコマンドやファームウェアに基づき、複合機の操作に必要な情報や印刷対象画像のプレビューを小型ディスプレィ１１ｂや大型ディスプレィ２０に表示させる表示制御部として機能する。なお、制御装置１５は、操作用ボタンが示されている操作画像（図４（ａ）参照）を主として小型ディスプレィ１１ｂに表示し、印刷対象画像のプレビューを主として大型ディスプレィ２０に表示させるようになっている。
【００３９】
つぎに、本実施形態の特徴について説明する。本実施形態においては、図１の複合機１０の正面側に操作パネル１１が取り付けられ、この操作パネル１１に形成されている小型ディスプレィ１１ｂにはタッチパネルが構成されている。
【００４０】
そして、制御装置１５は、利用者から入力される指示に応じて、小型ディスプレィ１１ｂのタッチパネルを専ら小型ディスプレィ１１ｂのポインティングデバイスとして機能させる通常モード（第１モード）と、小型ディスプレィ１１ｂのタッチパネルを小型ディスプレィ１１ｂのポインティングデバイスおよび大型ディスプレィ２０のポインティングデバイスとして機能させる特殊モード（第２モード）とを切り替え可能になっている。
【００４１】
具体的に説明すると、画像形成システム１００は初期状態において通常モードになっている。つまり、複合機１０の電源をオンにして複合機１０を起動した後は必ず通常モードになる。そして、通常モードにおいて、制御装置１５は、図４（ａ）に示す操作画像を小型ディスプレィ１１ｂに表示し、小型ディスプレィ１１ｂのタッチパネルを専ら小型ディスプレィ１１ｂの表示画像に対するポインティングデバイスとして機能させる。つまり、小型ディスプレィ１１ｂのタッチパネルの全エリアは小型ディスプレィ１１ｂの表示画像に対する位置・方向等を指示するためのエリアとして用いられる。そして、図１に示すように複合機１０の正面側に位置する利用者は、小型ディスプレィ１１ｂのタッチパネルを操作して、小型ディスプレィ１１ｂに表示されている操作画像に示される各種操作ボタン（図４（ａ）参照）を選択するようになっている。これにより、複合機１０に対して各種設定（コピー濃度、倍率、用紙サイズ、特別機能）を行うことが可能になっている。
【００４２】
そして、通常モードにおいて小型ディスプレィ１１ｂに表示されている操作画像には、図４（ａ）に示すように、モード切替指示（通常モードと特殊モードとを切り替える指示）を入力するためのマウスボタン（切替ボタン）６が表示されている。通常モードにおいて利用者が小型ディスプレィ１１ｂのタッチパネルを操作してマウスボタン６を選択すると、制御装置１５は、利用者からモード切替指示が入力されたことを検知し、画像形成システム１００を通常モードから特殊モードへ移行させるようになっている。なお、図６において、マウスボタン６は、「ディスプレィ用マウス」となっているが、単に「操作ボタン」となっていてもよい。
【００４３】
制御装置１５は、画像形成システム１００を通常モードから特殊モードに移行させると、小型ディスプレィ１１ｂに図４（ｂ）に示す操作画像を表示させ、大型ディスプレィ２０に図５に示すポインタ８を表示させるようになっている。
【００４４】
図４（ｂ）に示す操作画像には、中央部に操作枠７が示されている。つまり、通常モードでは図４（ａ）に示されるように操作画像の中央部に複合機および用紙トレイ（用紙配置）のイラストが示されているが、特殊モードでは図４（ｂ）に示されるように操作画像において前記イラストの代わりに操作枠７が示されることになる。
【００４５】
特殊モードでは、制御装置１５は、小型ディスプレィ１１ｂのタッチパネルにおいて、操作枠７と重なるエリアを大型ディスプレィ２０の表示画像に対するポインティングデバイスとして機能させ、操作枠７と重なるエリア以外のエリアを小型ディスプレィ１１ｂの表示画像に対するポインティングデバイスとして機能させる。
【００４６】
これにより、制御装置１５は、小型ディスプレィ１１ｂのタッチパネルのうち操作枠７と重なるエリアに対して利用者が操作を行うと、当該操作の内容を大型ディスプレィ２０の表示画像に反映させることになる。
【００４７】
例えば、小型ディスプレィ１１ｂのタッチパネルのうち操作枠７と重なるエリアに対して利用者がドラッグ操作を行うと、図５に示すように大型ディスプレィ２０に表示されているポインタ（カーソル）８はドラッグ操作の方向に応じた方向に移動することになる。つまり、利用者が小型ディスプレィ１１ｂのタッチパネルに対して右方向に指を滑らせれば大型ディスプレィ２０のポインタ８は右方向に移動し、利用者が小型ディスプレィ１１ｂのタッチパネルに対して左方向に指を滑らせれば大型ディスプレィ２０のポインタ８は左方向に移動する。また、利用者が小型ディスプレィ１１ｂのタッチパネルに対して複合機１０の背面へ向けた方向に指を滑らせればポインタ８は上方向に移動し、利用者が小型ディスプレィ１１ｂのタッチパネルに対して手前へ向けた方向に指を滑らせればポインタ８は下方向に移動する。
【００４８】
また、例えば、大型ディスプレィ２０に各種操作ボタンを表示し、利用者が所望の操作ボタンの表示位置までポインタ８を移動させ、小型ディスプレィ１１ｂのタッチオアネルに対してタップ操作を行えば大型ディスプレィ２０に表示されている操作ボタンが反転表示され、再度タップ操作を行えば当該操作ボタンが選択されるようになっていてもよい。
【００４９】
また、特殊モードであっても、制御装置１５は、小型ディスプレィ１１ｂのタッチパネルのうち操作枠７と重なるエリア以外のエリアについて、大型ディスプレィ２０の表示画像に対するポインティングデバイスとして機能させるのではなく、小型ディスプレィ１１ｂの表示画像に対するポインティングデバイスとして機能させるようになっている。したがって、小型ディスプレィ１１ｂのタッチパネルのうち小型ディスプレィ１１ｂに表示されている操作ボタンと重なる位置を利用者がタップすると、当該操作ボタンが選択されることになる。つまり、小型ディスプレィ１１ｂのタッチパネルのうち図４（ｂ）に示される特別機能ボタンと重なる位置を利用者がタップすると、特別機能ボタンが選択され、小型ディスプレィ１１ｂのタッチパネルのうち図４（ｂ）に示されるファイリングボタンを利用者がタップすると、ファイリングボタンが選択されることになる。
【００５０】
そして、特殊モード中においても、小型ディスプレィ１１ｂに表示されている操作画像には、図４（ｂ）に示すように、通常モードと特殊モードとを切り替える指示を入力するためのマウスボタン６ａが表示されている。但し、図４（ａ）および図４（ｂ）に示すように、通常モードにおいて表示されているマウスボタン６と特殊モード中に表示されているマウスボタン６ａとは表示色が互いに異なる。これにより、利用者は現在特殊モードが選択されているか否かを認識できる。
【００５１】
特殊モード中において、利用者が小型ディスプレィ１１ｂのタッチパネルを操作してマウスボタン６ａ（図４（ｂ）参照）を選択すると、制御装置１５は、利用者からモード切替指示が入力されたことを検知し、画像形成システム１００を特殊モードから通常モードへ戻すようになっている。そして、制御装置１５は、画像形成システム１００が特殊モードから通常モードへ戻ると、図４（ｂ）に示す操作画像の表示を中止し、図４（ａ）に示す操作画像を小型ディスプレィ１１ｂに表示させるようになっている。つまり、特殊モード中は小型ディスプレィ１１ｂに操作枠７が表示されているが、通常モードに戻ると小型ディスプレィ１１ｂから操作枠７が消去されることになる。これにより、利用者は現在特殊モードが選択されているか否かの特定が容易になる。
【００５２】
以上示したように、本実施形態の画像形成システム１００は、タッチパネル付の小型ディスプレィ１１ｂが形成されている操作パネル１１を正面に備えた複合機１０と、複合機１０の背面側に設置されており小型ディスプレィ１１ｂよりもサイズの大きな大型ディスプレィ２０と、複合機１０および大型ディスプレィ２０を制御する制御装置１５とを備えている。そして、制御装置１５は、利用者から入力される指示に応じて、小型ディスプレィ１１ｂのタッチパネルを小型ディスプレィ１１ｂの表示画像に対するポインティングデバイスとして機能させる通常モードと、小型ディスプレィ１１ｂのタッチパネルの一部のエリアを大型ディスプレィ２０の表示画像に対するポインティングデバイスとして機能させる特殊モードとを切り替えるようになっている。
【００５３】
このような構成によれば、利用者は、画像形成システム１００を通常モードから特殊モードへ切り替えることによって、操作パネル１１に形成されている小型ディスプレィ１１ｂのタッチパネルを用いて大型ディスプレィ２０の表示画像に対する指示入力を行える。それゆえ、本実施形態のように大型ディスプレィ２０が複合機１０の背面側に設置されていても、利用者は複合機１０の操作パネル１１を用いて大型ディスプレィ２０の表示画像に対する指示入力を行うことができるため、利用者にとって使い勝手が良いという利点を有する。
【００５４】
また、制御装置１５は、前記特殊モードにおいて、（ａ）小型ディスプレィ１１ｂのタッチパネルのうちの一部である第２エリアを、大型ディスプレィ２０の表示画像に対するポインティングデバイスとして機能させ、（ｂ）前記タッチパネルのうち前記第２エリア以外の第１エリアを、小型ディスプレィ１１ｂの表示画像に対するポインティングデバイスとして機能させるようになっている。ここで、第２エリアは、小型ディスプレィ１１ｂのタッチパネルのうち、図４（ｂ）に示されている操作枠７と重なるエリアであり、第１エリアは、小型ディスプレィ１１ｂのタッチパネルのうち、第２エリア以外のエリアである。
それゆえ、前記特殊モードにおいては、小型ディスプレィ１１ｂのタッチパネルを、大型ディスプレィ２０の表示画像に対するポインティングデバイスとして利用し、且つ、小型ディスプレィ１１ｂの表示画像に対するポインティングデバイスとして利用するようになっている。具体的には、前記特殊モードにおいて、小型ディスプレィ１１ｂの表示エリアのうち、前記タッチパネルの第１エリアと重なる位置に操作ボタン等を表示し、前記タッチパネルの第１エリアのうち前記操作ボタンと重なる位置に利用者がタップ操作を行うと当該操作ボタンが選択され、前記タッチパネルの第２エリアに対して利用者がドラッグ操作を行うと大型ディスプレィ２０に表示されているカーソルが移動するようになっている。
【００５５】
また、以上示した実施形態において、特殊モードでは、小型ディスプレィ１１ｂのタッチパネルのうち第２エリア（操作枠７と重なるエリア）に対してドラッグ操作またはタップ操作が行われた場合、制御装置１５は、行われた操作の内容を大型ディスプレィ２０の表示画像に反映させている。ここで、タッチパネルに対して行われる操作としては、ドラッグ操作またはタップ操作に限定されるものではなく、例えば、フリック操作、ダブルタップ操作等を行うことも可能であり、制御装置１５は、行われた操作の内容を大型ディスプレィ２０の表示画像に反映させることができる。つまり、特殊モードにおいて、小型ディスプレィ１１ｂのタッチパネルに対してフリック操作が行われると、例えば大型ディスプレィ２０の表示画像がスクロールすることになる。
【００５６】
また、特殊モードでは、制御装置１５は、小型ディスプレィ１１ｂにおいて、小型ディスプレィ１１ｂのタッチパネルのうち大型ディスプレィ２０の表示画像に対するポインティングデバイスとして機能させるエリアを示す操作枠（操作エリア画像）７を表示させている（図４（ｂ）参照）。これにより、利用者は、小型ディスプレィ１１ｂのタッチパネルのうち、大型ディスプレィ２０の表示画像に対するポインティングデバイスとして機能するエリアを正確に特定でき、誤操作の発生を抑制できる。
【００５７】
また、制御装置１５は、通常モードにおいて小型ディスプレィ１１ｂに操作枠７を表示させず、特殊モードにおいてのみ小型ディスプレィ１１ｂに操作枠７を表示させるようになっている。これにより、利用者は、操作枠７の表示の有無を確認することで、現在のモードが通常モードおよび特殊モードのいずれであるのかを容易に把握できる。
【００５８】
また、第１の利用者が、画像形成システム１００を通常モードから特殊モードに移行させた後、通常モードに戻さないまま立ち去り、次に、操作に不慣れな第２の利用者が画像形成システム１００を使用するようなケースを想定する。このようなケースでは、操作に不慣れな第２の利用者は、いきなり、特殊モードになっている画像形成システム１００を操作することになり、第２の利用者が、戸惑ってしまうという不具合が生じることもある。そこで、制御装置１５は、前記特殊モードにて小型ディスプレィ１１ｂのタッチパネルに対する操作が行われていない状態が所定時間（例えば３分）継続すると、画像形成システム１００を前記特殊モードから前記通常モードに切り替えるようになっていてもよい。これにより前記の不具合の発生を抑制できる。
【００５９】
また、本実施形態の画像形成システム１００では、大型ディスプレィ２０は複合機１０の背面側に設置されているが、大型ディスプレィ２０の設置位置は、複合機１０の背面側に限定されるものではなく、複合機１０の正面側において操作パネル１１を操作している利用者が視認可能な位置に設置されていればよい。但し、大型ディスプレィ２０が複合機１０の背面側に設置されている本実施形態の構成によれば、複合機１０の正面側で操作パネル１１を操作している利用者が大型ディスプレィ２０の表示画像を良好に視認することができるというメリットを有する。
【００６０】
また、本実施形態の複合機１０の奥行サイズおよび高さからすれば、利用者は複合機１０の正面側から背面側の大型ディスプレィ２０に直接触れることは困難である。それゆえ、大型ディスプレィ２０にタッチパネルを取り付けたとしても、利用者は複合機１０の正面側から背面側に移動しなければ大型ディスプレィ２０のタッチパネルを利用できない。しかし、本実施形態のシステムによれば、操作パネル１１の小型ディスプレィ１１ｂのタッチパネルを大型ディスプレィ２０の表示画像のためのポインティングとして機能させることが可能であるため、大型ディスプレィ２０のタッチパネルを利用するまでもなく（複合機１０の正面側から背面側に移動するまでもなく）、小型ディスプレィ１１ｂのタッチパネルを利用して大型ディスプレィ２０の表示画像に対する指示入力を行える。
【００６１】
また、近年、一般的な複合機に取り付けられる制御装置（コンピュータ）の性能は汎用のパーソナルコンピュータと同等になり、複合機に設置されるメモリは大容量化している（２ＧＢ以上）。そして、オフィス環境では、複合機は、インターネットおよびＬＡＮに接続されると共に、ＬＡＮを介して各個人の端末装置に接続され、共有ファイルを格納する共有サーバやメールサーバとしての役目をも果たすようになっていきている。この点、本実施形態の画像形成システム１００において、複合機１０を前記共有サーバおよびメールサーバとして機能させれば、各個人の端末装置を立ち上げなくても、複合機１０に記憶されている共有ファイルやメールを大型ディスプレィ２０に表示させることができ、必要な共有ファイルの画像やメールの画像をプリントアウトできる。
【００６２】
近年、オフィスにおいて、消費電力の大きいパソコン，ディスプレィ，照明の節電が大きな課題となっているので、個人の端末装置を立ち上げずに複合機１０に記憶されているメールを大型ディスプレィ２０に表示させる事は意義がある。
【００６３】
また、節電のために、複合機１０は、未使用の状態が５分程度以上経過すると自動で節電モードまたはシャットオフモードに移行するようになっている。そして、節電のために、大型ディスプレィ２０も自動で節電モードまたはシャットオフモードに移行するようになっていることが望ましく、このモード切替を複合機１０の制御装置１５が制御するようになっていることが好ましい。
【００６４】
さらに、複合機１０には、ＵＳＢケーブル１８を接続するためのＵＳＢポート以外に、ＵＳＢメモリ用のスロットやＳＤメモリカード用のスロットが取り付けられている。そして、制御装置１５は、ＵＳＢメモリやＳＤメモリカードに格納されているファイルや写真を大型ディスプレィ２０に表示させ、利用者に選択されたファイルまたは写真をプリントアウトするようになっていてもよい。この場合、利用者は、画像形成システム１００を特殊モードに移行させ、小型ディスプレィ１１ｂのタッチパネルを操作して大型ディスプレィ２０のポインタを移動させることによって、大型ディスプレィ２０に表示されているファイル等を選択することができる。
【００６５】
また、本実施形態では、特殊モードにおいて、小型ディスプレィ１１ｂのタッチパネルの一部のエリアを大型ディスプレィ２０の表示画像に対するポインティングデバイスとして機能させるようになっているが、当該タッチパネルの全エリアを大型ディスプレィ２０の表示画像に対するポインティングデバイスとして機能させるようになっていても構わない。この場合、特殊モードにおいて、小型ディスプレィ１１ｂの全面に操作枠７が示され、入力部１１ａのなかのいずれかのキーによって通常モードと特殊モードとの切り替えが可能になっていてもよい。
【００６６】
なお、本実施形態の画像形成システム１００は、複合機１０を備えるものであるが、複合機１０の代わりに、画像形成機能を有する他の画像形成装置（例えば、プリンタ、複写機、ファクシミリ）を備えていてもよい。
【００６７】
また、本実施形態の画像形成システム１００において、大型ディスプレィ２０には、タッチパネルが取り付けられていてもよいし、取り付けられていなくても構わない。
【００６８】
また、複合機１０の代わりに、タッチパネル付の小型ディスプレィを形成した操作パネルを備えたスキャナ専用機を設置し、スキャナ専用機（画像読取装置）と大型ディスプレィ２０と接続し、このスキャナ専用機と大型ディスプレィ２０とからなる画像読取システムにおいて、以上にて説明した通常モードと特殊モードとの切り替えを実現してもよい。つまり、前記の画像読取システムは、タッチパネル付きの小型ディスプレィが形成されている操作パネルを備えている画像読取装置と、前記操作パネルから離れた位置に配置されており小型ディスプレィよりもサイズの大きな大型ディスプレィと、画像読取装置および大型ディスプレィを制御する制御装置とを備えている。そして、この制御装置は、利用者によって入力される指示に応じて、前記タッチパネルを小型ディスプレィの表示画像に対するポインティングデバイスとして機能させる通常モードと、前記タッチパネルの少なくとも一部のエリアを大型ディスプレィの表示画像に対するポインティングデバイスとして機能させる特殊モードとを切り替えるようになっている。
【００６９】
[画像形成システムの用途]
つぎに、画像形成システムの用途の一例を説明する。図６（ａ）は、コンビニエンスストア等の店舗に設置される一般的な複合機５００と電子看板６００とを示す模式図である。電子看板６００は、顧客に示したい情報を表示するものであることから、店舗の入口や目立つ場所に設置される事が通例であり、コピーサービス用の複合機５００は、コインチェンジャー５５０を接続しており、店舗のカウンタの中や部屋の隅等（邪魔にならない場所）に設置される事が通例である。それゆえ、電子看板６００と複合機５００とは、互いに離れて設置される事が通例であり、互いの連携は全く無かった。
【００７０】
しかし、最近では、電子看板６００の表示内容が多種多様になり、利用者がプリントアウトすることを所望する画像（電子クーポンや地図等）が表示されることもある。さらに、電子看板６００は、５〜２０秒間隔で表示内容を切り替え、且つ、同一表示内容を一定の時間間隔をあけて繰り返し表示するようになっている。したがって、利用者は、見過ごした内容を再度見るために待機する必要があり、不便である。
【００７１】
そこで、図４（ｂ）に示すように電子看板６００を複合機５００の近傍に配置し、この電子看板６００にタッチパネルを取り付け、複合機５００と電子看板６００とを接続し、電子看板６００の表示画像を複合機５００にてプリントアウト可能にすればよい。このようにすれば、利用者は、電子看板６００の表示内容をプリントアウトでき、また、タッチパネルを操作して表示内容を切り替えることで見過ごした内容を直ちに確認できる。しかし、この構成では、部屋の隅等に設置される複合機５００の近傍にさらに電子看板６００の設置スペースが必要になるという問題がある。また、複合機５００の操作パネルを操作する利用者は、電子看板６００のタッチパネルに触れるために複合機５００の正面から電子看板６００の正面まで移動しなければならず、この移動のためのスペースも充分に確保しなければならないという問題もある。
【００７２】
そこで、図１、図５に示す本実施形態の画像形成システム１００を店舗に設置し、電子看板に表示すべき内容を大型ディスプレィ２０に表示させることが好ましい。これにより、以上のような問題を解消しつつ、大型ディスプレィ２０に表示される内容をプリント可能になる。また、画像形成システム１００を特殊モードに移行させ、小型ディスプレィ１１ｂのタッチパネルを操作して大型ディスプレィ２０の表示内容を切り替えることにより、見過ごした内容を直ちに確認できる。
【００７３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７４】
本発明は、画像データに応じた画像を用紙に形成（印刷）する画像形成装置を備えた画像形成システム、または原稿を読み取って前記原稿の画像を示す画像データを生成する画像読取装置を備えた画像読取システムに利用できる。
【符号の説明】
【００７５】
７    操作枠（操作エリア画像）
１０    複合機（画像形成装置）
１１    操作パネル
１１ｂ  小型ディスプレィ（第１表示装置）
１５    制御装置（制御部）
１８    ＵＳＢケーブル
２０    大型ディスプレィ（第２表示装置）
１００    画像形成システム
【図１】
2012109803.tif 000003
【図２】
2012109803.tif 000004
【図３】
2012109803.tif 000005
【図４】
2012109803.tif 000006
【図５】
2012109803.tif 000007
【図６】
2012109803.tif 000008